(57)【要約】【課題】残額０円の印字された引換え用の新カードの発行を禁止できるようにする。【解決手段】カード処理装置の本体に投入されたカードの印字欄が満杯になったときに新たなカードに残額を印字して返却するカード処理装置において、前記カード処理装置の本体に投入されたカードから減額された残額が０円のときに新たなカードの発行を禁止する禁止制御手段を設ける。【選択図】      図３
2004246752.tif 000002
【特許請求の範囲】
【請求項１】
カード処理装置の本体に投入されたカードの印字欄が満杯になったときに新たなカードに残額を印字して返却するカード処理装置において、
前記カード処理装置の本体に投入されたカードから減額された残額が０円のときに新たなカードの発行を禁止する禁止制御手段を設けたことを特徴とするカード処理装置。
【請求項２】
請求項１に記載のカード処理装置において、新たなカードの発行を禁止したときは、カード処理装置の本体に投入されたカードの残額が０円である旨を報知する報知手段を設けたことを特徴とするカード処理装置。
【請求項３】
請求項１又は２に記載のカード処理装置において、カード処理装置の本体は、自動券売機に組込まれるものであることを特徴とするカード処理装置。
【請求項４】
請求項１又は２に記載のカード処理装置において、カード処理装置の本体は、自動精算機に組込まれるものであることを特徴とするカード処理装置。
【発明の詳細な説明】
【０００１】
【発明の属する技術分野】
本発明は、自動券売機や自動精算機等の出札機に組込まれるカード処理装置に関する。
【０００２】
【従来の技術】
現在、多用されている自動券売機や自動精算機等の出札機は、金銭以外にプリペイドカードやストアードフェアカード（ＳＦカード）等のカードで乗車券を購入できるように構成されている（特許文献１参照。）
【０００３】
このカード対応型の出札機は、その出札機の本体にカードが挿入されると、その出札機の本体にその出札機の本体から発行される乗車券の購入代金又は精算券購入の不足料金に相当する金額が減額処理されて、新たな残額が印字されて返却されるように構成されている。
【０００４】
このカードへの印字は、サーマルヘッドによりカードの裏面の印字欄に一つの減額処理毎に行を変えて印字されるように構成されている。そして、印字面が満杯になると、新たなカードに残額が印字されて満杯になったカードと引換える形で発行されるように構成されている。
【０００５】
【特許文献１】特開２００１−２０２５３３号公報
【０００６】
【発明が解決しようとする課題】
しかしながら、上記従来の出札機に組込まれるカード処理装置は、出札機の本体に投入されたカードの記録欄が満杯になって新たなカードに残額が記録されて引換える形で返却される場合、その新たなカードに印字される残額が０円であっても、その０円の印字されたカードが発行され、不経済になる欠点があった。
【０００７】
例えば、カードの残額が１６０円の場合、そのカードを用いて１６０円の乗車券を購入する際、そのカードを自動券売機の本体に投入したとき、そのカードの記載欄が満杯のときは、新たなカードに０円の残額が印字されて満杯になったカードと引換える形で返却されるように構成されている。
【０００８】
そこで、本発明は、上記欠点を解決するためになされたものであって、その目的は、印字欄が満杯で新たなカードを発行する際、残額が０円のときは新たなカードの発行を禁止できるカード処理装置を提供することにある。
【０００９】
【課題を解決するための手段】
本発明に係るカード処理装置は、上記目的を達成するために、請求項１に記載の発明は、カード処理装置の本体に投入されたカードの印字欄が満杯になったときに新たなカードに残額を印字して返却するカード処理装置において、前記カード処理装置の本体に投入されたカードから減額された残額が０円のときに新たなカードの発行を禁止する禁止制御手段を設けたことを特徴としている。
本発明の請求項２に記載のカード処理装置は、新たなカードの発行を禁止したときは、カード処理装置の本体に投入されたカードの残額が０円である旨を報知する報知手段を設けたことを特徴としている。
本発明の請求項３に記載のカード処理装置は、カード処理装置の本体は、自動券売機に組込まれるものであることを特徴としている。
本発明の請求項４に記載のカード処理装置は、カード処理装置の本体は、自動精算機に組込まれるものであることを特徴としている。
【００１０】
【発明の実施の形態】
以下、本発明の実施の形態を図面に基づいて説明する。図１は、一実施の形態に係るカード処理装置を自動券売機に組込んだときのその自動券売機の正面図であり、その自動券売機の本体（以下、カード処理装置の本体を含めて「本体」という。）ａの正面中央部には、タッチパネル式の表示画面１と、その表示画面１の左隣りには、係員と応答したいときに押下される呼出釦２及び乗車券の購入を途中で中止したいときに押下される取消釦３が設けられている。
【００１１】
本体ａの正面の下部上段には、乗車券をＳＦカードやプリペイドカード等のカードＣで購入するときのそのカードＣを投入するための投入口４、乗車券の購入代金を紙幣で支払うときのその紙幣を挿入する紙幣投入口５、その購入代金を硬貨で支払うときのその硬貨を投入する硬貨投入口６が設けられている。また、その本体ａの正面の下部下段には、釣銭硬貨の排出口７、釣札の排出口８、乗車券の発券口９が設けられている。さらに、図１中、１０は、本体ａを統括的に制御するマイクロコンピュータ（ＣＰＵ）を中心に形成された制御器である。
【００１２】
図２は、制御器１０の電気的構成を示すものであって、ＣＰＵ２０は、メモリ２１に格納されている制御プログラムやワーキングデータを用いて演算処理を行うように構成されている。また、このＣＰＵ２０は、表示画面１の口座釦群等の表示を駆動制御する可変表示部２３と、表示画面１の入力を駆動制御するタッチパネル入力部２４と、硬貨投入口６から投入された硬貨を検銭処理して真正な硬貨のみを本体ａに受入れる硬貨処理部２５と、紙幣投入口５から投入された紙幣を検銭処理して真正な紙幣のみを本体ａに受入れる紙幣処理部２６と、発券口９から発行する乗車券を作成する発券処理部２７と、排出口７及び排出口８に釣銭を排出する釣銭処理部２８と、投入口４から挿入されたカードＣを処理するためのカード処理部２９とが接続されている。
【００１３】
上記カード処理部２９は、図示しないが投入口４から投入されたカードＣに記録されているデータを読取るとともに、新たなデータを書込むための磁気ヘッド、そのカードＣの裏面の印字欄に残額等の所定の内容を印字するサーマルヘッドからなる印字機構及びそのカードＣの使用の目処を示すパンチ孔をあけるパンチング機構が設けられている以外に、新たなカードを発行するカード発行機構が設けられている。
【００１４】
以下、図３のフローチャートを用いて制御動作について説明する。今、カードＣを所持している利用者が、そのカードＣを用いて乗車券を購入しようとしているものとする。
【００１５】
利用者によって所定の乗車券を購入するための口座釦が押下（選択）されるとともに、投入口４にカードＣが投入されると（ステップ１００肯定、ステップ１０２肯定。以下、ステップを「Ｓ」とする。）、その投入されたカードＣに記録されるデータがカード処理部２９により読取られる。
【００１６】
ＣＰＵ２０は、読取られたデータを基に演算処理してカードＣの残額が乗車券の購入代金を満たしているか否かの判定を行う。この判定において、カードＣの残額が乗車券の購入代金に満たないときは、その不足金額が表示画面１に表示されて利用者にその不足金額の投入が促され、利用者によってその不足金額が投入される（Ｓ１０４否定、Ｓ１０６肯定）。次いで、ＣＰＵ２０は、カードＣの裏面の印字欄に余裕があるか否かの判定を行う。この判定において、カードＣの印字欄に余裕があるときは（Ｓ１０８否定）、カードＣに通常どおりに新たな残額を印字して返却するとともに、乗車券の発行も行われる（Ｓ１１０）。なお、この場合、今回の乗車券購入で新たな残額が０円になるときは、０円が印字される。なお、残額が０円になったカードは、本体ａ内に回収するようにしてもよい。
【００１７】
ところで、カードＣの印字欄が満杯で今回の乗車券購入に伴う印字がそのカードＣに印字できないときは（Ｓ１０８肯定）、今回の乗車券購入に伴う減額処理でカードＣの残額が０円になるか否かが判定される（Ｓ１１２）。この判定において、残額が０円でないとき、すなわち、今回の乗車券購入後でもカードＣに残額があるときは（Ｓ１１２否定）、新たなカードがカード処理部２９から発行される。その際、その発行されるカードには、その新たな残額が印字されて発行され、また、乗車券の発行も行われる（Ｓ１１４）。なお、投入口４に投入された残額０円のカードＣも返却されるが、このカードＣは、本体ａ内に回収することもできる。
【００１８】
上述の判定においてカードＣの残額が０円になるときは（Ｓ１１２肯定）、すなわち、カードＣの残額が今回の乗車券の購入代金と等しいとき（Ｓ１０４肯定）、又は、そのカードＣの残額が今回の乗車券の購入代金に不足しているとき（Ｓ１０４否定）、カード処理部２９からの新たなカードの発行が禁止され、投入されたカードＣの残額が０円となった旨が表示画面１に表示されるとともに、乗車券の発行が行われる（Ｓ１１６）。なお、投入口４に投入された残額０円になったカードＣは、カード処理部２９のパンチングユニット（図示せず）で残額が０円を示す位置にパンチ孔があけられて返却されるが、このカードＣは、本体ａ内に回収して利用者へ返却しないようにすることもできる。
【００１９】
なお、上述の例では、カード処理装置を自動券売機に組込んだ例を示したが、自動精算機に組込むこともできる。また、定期券発売機等の他の種類の自動券売機に組込むこともできる。
【００２０】
【発明の効果】
本発明の請求項１に記載のカード処理装置は、本体に投入されたカードから減額された残額が０円のときに新たなカードの発行を禁止する禁止制御手段を設けたので、残額０円の新たなカードの発行を禁止することができる。
本発明の請求項２に記載のカード処理装置は、新たなカードの発行を禁止したときに、本体に投入されたカードの残額が０円である旨を報知する報知手段を設けたので、利用者は、カードの残額が０円になったことを容易に知ることができる。
本発明の請求項３に記載のカード処理装置は、本体が自動券売機に組込まれるので、自動券売機から０円の新たなカードの発行を防止することができる。
本発明の請求項４に記載のカード処理装置は、本体が自動精算機に組込まれるので、自動精算機から０円の新たなカードの発行を防止することができる。
【図面の簡単な説明】
【図１】本発明のカード処理装置を自動券売機に組込んだときのその自動券売機の正面図である。
【図２】制御器の概略構成を示すブロック図である。
【図３】制御動作を示すフローチャートである。
【符号の説明】
ａ  自動券売機の本体（カード処理装置の本体，本体）
１  表示画面
４  投入口
５  紙幣投入口
６  硬貨投入口
７  排出口
９  発券口
１０  制御器
Ｃ  カード
【図１】
2004246752.tif 000003
【図２】
2004246752.tif 000004
【図３】
2004246752.tif 000005